(57)【要約】【課題】  扉が常には上昇位置にあって開口部を閉成し、該扉を押し上げると開口部が開放する構造の貯蔵庫では、扉を下降させて開口部を開放した後に閉成させるときは、該扉を人の力で押し上げる必要があった。【解決手段】  ワイヤ６６を常に巻取るように付勢されているワイヤ巻取装置６４から該ワイヤ６６を導き出し、このワイヤ６６を扉１６にプーリ６２を介して接続する。これにより、扉１６を手で押し下げて開口部１４を開放させた後に、その手を放すとワイヤ６６がワイヤ巻取装置６４に巻取られ、該扉１６は自動的に上昇する。【選択図】図３
2015014418.tif 000002
【特許請求の範囲】
【請求項１】
筐体(12)の前フレーム(40)に開設した開口部(14)と、この開口部(14)と縦方向に隣接する扉収容部(68)と、縦方向に昇降自在で常には前記開口部(14)を閉成し、前記扉収容部(68)へ移動することで前記開口部(14)を開放する扉(16)とを有する貯蔵庫(10)において、
前記扉収容部(68)における前フレーム(40)の開口部側に枢支したプーリ(62)と、
前記扉収容部(68)における前フレーム(40)に設けられ、前記プーリ(62)と反対側に位置するワイヤ巻取装置(64)とからなり、
前記ワイヤ巻取装置(64)から引出され、常に巻取り方向への駆動力が付与されているワイヤ(66)を前記プーリ(62)に巻き掛けた後、該ワイヤ(66)の開放端を前記扉(16)に固定した
ことを特徴とする貯蔵庫の扉開閉構造。
【請求項２】
前記ワイヤ巻取装置(64)は、前記ワイヤ(66)を巻取る駆動力を前記扉(16)の自重に応じて調節可能になっている請求項１記載の貯蔵庫の扉開閉構造。
【請求項３】
前記扉収容部(68)の前フレーム(40)に枢支されるプーリ(62)は、前記扉(16)の昇降領域の前側に位置している請求項１または２記載の貯蔵庫の扉開閉構造。
【請求項４】
前記扉収容部(68)の前フレーム(40)に枢支されるプーリ(62)は、前記扉(16)の昇降領域の後側に位置している請求項１または２記載の貯蔵庫の扉開閉構造。
【請求項５】
前記扉収容部(68)の前フレーム(40)には、前記扉(16)が該扉収容部(68)に収容されて前記開口部(14)を完全に開放した位置で該扉(16)の移動を規制する扉停止片(76)が設けられている請求項１〜４の何れか一項に記載の貯蔵庫の扉開閉構造。
【請求項６】
前記ワイヤ(66)の開放端は、前記扉(16)に取り付けたブラケット(74)に固定される請求項１〜５の何れか一項に記載の貯蔵庫の扉開閉構造。
【請求項７】
前記ブラケット(74)に弾力性のある位置規制片(78)を設けて、前記開口部(14)を前記扉(16)が完全に閉成する位置で、前記位置規制片(78)が前記プーリ(62)を取り付けた部材に当接するようになっている請求項６記載の貯蔵庫の扉開閉構造。
【発明の詳細な説明】
【技術分野】
【０００１】
この発明は、貯蔵庫の扉開閉構造に関し、更に詳しくは、貯蔵庫の開口部を常には上昇位置で閉成し、下降位置へ転じることで前記開口部を開放する扉開閉構造の改良に関するものである。
【背景技術】
【０００２】
例えば業務用の製氷機は、筐体の上部に製氷室を備え、その下方に前記製氷室から放出された氷塊を貯留する貯氷庫が設けられている。貯氷室には氷塊を取り出すための開口部が設けられ、この開口部は扉により開閉自在に閉成されるようになっている。前記扉の配設パターンとしては、操作者の手前に傾動して開放するタイプや、向こう側へ撥ね上げられて開放するタイプ等がある。本発明は、貯氷庫等の開口部の扉が上下に昇降して、前記開口部の開閉が行われるものである。すなわち、扉は常には前記開口部を上方(または下方)位置で閉成しており、庫内の収容物品を取り出す際には、該扉を下方(または上方)位置へ移動させることで、前記開口部を開放する扉開閉構造に関するものである。
【０００３】
前述した扉を昇降させて開口部の開放および閉成を行う従来の開閉構造について、以下に説明する。図１２〜図１４は、特許第３９１３４４８号(特許文献１)に記載された従来技術に係る貯氷庫の扉開閉構造を示している。図１２および図１３は、ユニット式製氷機における貯氷庫１０を示し、この貯氷庫１０の上方に段積みした製氷ユニット(図示せず)から放出された氷塊が貯留される。前記貯氷庫１０における筐体の正面上方(図１２)には、庫内に貯留された氷塊を取り出すための矩形状開口部１４が開設されている。この開口部１４には、例えば透明ガラスからなる扉１６が縦方向に昇降可能に配設され、該扉１６は常には上方に位置して開口部１４を閉成している。そして氷塊を取り出す際は、前記扉１６の把手１８に手を掛けて下方へ押圧すると、該扉１６は下降して所定の下方位置で停止し、前記開口部１４を大きく開放する。
【０００４】
図１２および図１３は、前記扉１６が下降位置にあって開口部１４を開放している状態を示し、前記筐体１２における開口部１４の左右には縦にスライドレール２０，２０が夫々配設されて、両スライドレール２０，２０により前記扉１６の両側を昇降自在に支持している。また前記筐体１２の正面で、前記開口部１４よりも下方の左右には、前記スライドレール２０，２０と対応的に整列するガイド２２，２２が縦に配設され、下降する際の扉１６の両側をこれらガイド２２，２２により案内するようになっている。
【０００５】
図１４は、扉１６が上昇位置にあって開口部１４を完全に閉成している状態を示す側面の要部拡大図である。筐体１２における正面の左右側面には、上下に所要の間隔を保持して２つの弾性折曲片２４，２４(図１４は筐体１２の正面右側だけを示している)が固定されている。また扉１６の下端部には長尺片からなるワイパ２６が横方向に固定され、該ワイパ２６の左右端部は前記扉１６の左右から若干寸法だけ延出している。このワイパ２６の延出端の上下は、斜めにカットされて傾斜係合面２６ａになっている。そして前記上方に位置する弾性折曲片２４は、図１４に示すように、上方位置にある扉１６に設けた前記ワイパ２６の傾斜係合面２６ａと弾力的に係合して、該扉１６の重力による下降を阻止している。また扉１６を下へ押圧することで、上方の弾性折曲片２４と傾斜係合面２６ａとの係合は解除され、後は該扉１６の自重で下降する。そして所定距離だけ下降したところで、前記傾斜係合面２６ａは下方の弾性折曲片２４と弾力的に係合して、前記扉１６を規定位置に落下速度を緩和させた状態で停止させる。
【０００６】
〔別の従来例〕
図１５〜図１７は、特許第３９１１３８３号(特許文献２)に記載された別の従来技術に係る扉開閉構造を示している。図１５は、筐体１２の上方に製氷室(図示せず)が設けられ、中間に貯氷庫１０が設けられ、また下方に圧縮機等を収納する機械室(図示せず)が設けられた製氷機を示している。前記筐体１２における貯氷庫１０の前面は、フロントパネル２８により覆われ、該フロントパネル２８の下半部には矩形状の開口部１４が形成されている。なお、図１５は、開口部１４が、扉１６により閉成された状態を示している。図１６は、前記フロントパネル２８を取り外した状態で示す正面図であって、扉１６は上方に位置して前記開口部１４を開放している。また図１７は、図１６の裏面を示している。この別の従来例に係る扉開閉構造においても、図１２で説明したスライドレールやガイドが設けられていることは同じである。
【０００７】
図１６における横フレーム３０の上方には、その右側および左側に夫々プーリ３２が回転自在に枢支されている。そして前記扉１６の上部は、ワイヤ３４の一端に接続されると共に、該ワイヤ３４は各対応の前記プーリ３２に巻き掛けられ、図１７に示す該扉１６の裏側に設けた重錘３６に該ワイヤ３４の他端が接続されている。またフロントパネル２８の開口部１４の左右下端には弾性押圧片３８が対応的に設けられ、昇降開閉時の該扉１６の左右両端縁と弾力的に接触して、扉１６と重錘３６との重量均衡の誤差を吸収するようになっている。
【先行技術文献】
【特許文献】
【０００８】
【特許文献１】特許第３９１３４４８号公報
【特許文献２】特許第３９１１３８３号公報
【発明の概要】
【発明が解決しようとする課題】
【０００９】
図１２〜図１４に示した従来の扉開閉構造では、操作者が手で扉１６を下から持ち上げて開口部１４を閉成するが、それには扉１６の重量(約２ｋｇ)以上の力が必要である。また、前記弾性折曲片２４で前記扉１６を両側から弾力的に保持している構造では、該扉１６を上まで持ち上げるに際し更に荷重が加わる。すなわち弾性折曲片２４は、扉１６の重量を保持する力がある為、扉１６を完全に締め切るには該扉１６の重量の倍(約４ｋｇ)の力が必要である。また扉１６を開いた状態は、前記弾性折曲片２４でこれを維持する為、氷を取り出した後は必ず人力で閉めなければならない。
【００１０】
図１５〜図１７に示した別の従来の扉開閉構造では、複数の製氷機を貯氷庫の上に載せる際は、製氷機のフロントパネルと一体にする必要がある。このため製氷機毎のフロントパネルが必要となる。そして図１６に示す貯氷庫に合わせた構造にすると、扉の上部または側面にプーリを配置した機構になるため、貯氷庫の開口部を大きく塞がざるを得なくなる。すなわちプーリの配設スペースが必要で、これにより開口部が狭くなってしまう難点がある。
【課題を解決するための手段】
【００１１】
前記課題を解決し、所期の目的を達成するため、請求項１に記載の発明は、筐体の前フレームに開設した開口部と、この開口部と縦方向に隣接する扉収容部と、縦方向に昇降自在で常には前記開口部を閉成し、前記扉収容部へ移動することで前記開口部を開放する扉とを有する貯蔵庫において、
前記扉収容部における前フレームの開口部側に枢支したプーリと、
前記扉収容部における前フレームに設けられ、前記プーリと反対側に位置するワイヤ巻取装置とからなり、
前記ワイヤ巻取装置から引出され、常に巻取り方向への駆動力が付与されているワイヤを前記プーリに巻き掛けた後、該ワイヤの開放端を前記扉に固定したことを要旨とする。
請求項１に係る発明によれば、ワイヤ巻取装置から引き出されたワイヤには巻取方向への駆動力が働いているので、扉を上昇させる際は該ワイヤによるパワーアシストが得られて軽い力で操作することができる。また扉を開けるため下降させる際には、操作者が手で該扉をワイヤ巻取装置のワイヤ巻取力に抗して押し下げることで該扉が開放する。
【００１２】
請求項２に記載の発明は、前記ワイヤ巻取装置が、前記ワイヤを巻取る駆動力を前記扉の自重に応じて調節可能になっていることを要旨とする。
請求項２に係る発明によれば、これにより、扉の重量に応じて適切なパワーアシストおよび制動力が与えられる。なお、ワイヤ巻取装置のワイヤ巻取力は、操作者が手を開放した扉から離すと、該扉が自動的に上昇して開口部を閉成するような値に設定すれば、操作者の手が買物袋等でふさがっているような場合に便利である。
【００１３】
請求項３に記載の発明は、前記扉収容部の前フレームに枢支されるプーリが、前記扉の昇降領域の前側に位置していることを要旨とする。
請求項３に係る発明によれば、扉の昇降領域の前側にプーリを含む扉開閉構造が存在しているので、メンテナンスをする際に、フロントパネルを外すだけでプーリ等が露出する。このためメンテナンス作業が容易になる。
【００１４】
請求項４に記載の発明は、前記扉収容部の前フレームに枢支されるプーリが、前記扉の昇降領域の後側に位置していることを要旨とする。
請求項４に係る発明によれば、プーリを含む扉開閉構造が扉の昇降領域の裏側に存在するため、フロントパネルの前面へ突出する厚みを低減させてコンパクト化を図ることができる。
【００１５】
請求項５に記載の発明は、前記扉収容部の前フレームに、前記扉が該扉収容部に収容されて前記開口部を完全に開放した位置で該扉の移動を規制する扉停止片が設けられていることを要旨とする。
請求項５に係る発明によれば、扉が移動して扉収容部に収容された所定の位置において、前記扉が扉停止片に当接して位置規制がなされる。
【００１６】
請求項６に記載の発明は、前記ワイヤの開放端が、前記扉に取り付けたブラケットに固定されることを要旨とする。
請求項６に係る発明によれば、ワイヤは扉に直付けされるのでなく、扉に取り付けたブラケットと固定されるため、修理やメンテナンスが容易になる。
【００１７】
請求項７に記載の発明は、前記ブラケットに弾力性のある位置規制片を設けて、前記開口部を前記扉が完全に閉成する位置で、前記位置規制片が前記プーリを取り付けた部材に当接するようになっていることを要旨とする。
請求項７に係る発明によれば、扉が貯蔵庫の開口部を完全に閉成した位置で位置規制片がプーリの取付部材に弾力的に当接することで、閉成時の衝撃を緩和することができる。
【発明の効果】
【００１８】
本発明によれば、ワイヤ巻取装置から引き出されたワイヤには、巻取方向への駆動力が作用しているので、扉を上昇させる際は該ワイヤによるパワーアシストが得られて軽い力で操作することができる。また扉を開けるために下降させる際には、操作者が手でワイヤ巻取装置のワイヤ巻取力に抗して押し下げることで該扉が開放する。従って、操作者の手が買物袋等でふさがっていても、軽い力で扉を開放させることができる。
【図面の簡単な説明】
【００１９】
【図１】実施例に係る扉開閉構造の前フレームをフロントパネルで覆った状態で示す正面図であって、前記フロントパネルの下右半分を除去し、かつ扉を下降させて開口部を開放した状態を示している。
【図２】図１に示す前フレームの斜視図であって、フロントパネルで覆われている。
【図３】図１に示す前フレームから、フロントパネルを取り外した状態を示す斜視図である。
【図４】図１に示す前フレームであって、フロントパネルの下右半分を除去し、かつ扉を上昇させて開口部を閉成した状態を示している。
【図５】図４に示す前フレームの斜視図であって、フロントパネルで覆われている。
【図６】図５に示す前フレームから、フロントパネルを取り外した状態を示す斜視図である。
【図７】図４に示す前フレームの中央縦断側面図である。
【図８】図１に示す扉開閉構造に使用する扉の正面側斜視図である。
【図９】図８に示す扉の裏面側斜視図である。
【図１０】図１に符号Ａで示す円形部分の要部拡大図であって、ワイパの端縁部に弾性折曲片を係合させ下降した扉を位置規制している状態を示している。
【図１１】図７に示す実施例の変更例を示す中央縦断側面図である。
【図１２】従来技術に係る貯氷庫において、扉を下降させた状態で示す正面図であり、フロントパネルの右側は除去して内部を視認し得るようになっている。
【図１３】図１２に示す貯氷庫の縦断側面図である。
【図１４】図１２に示す貯氷庫において、符号Ｃで示す円形部分の拡大図であって、扉は上方位置にあって開口部を閉成している。
【図１５】別の従来技術に係る製氷機の全体斜視図であって、貯氷庫の開放部を覆うフロントパネルを取り外すと共に、該フロントパネルに設けた開口部を扉で閉成した状態を示している。
【図１６】図１５に示す貯氷庫の前フレームを示す正面図であって、扉を上昇させて開口部を開放した状態を示している。
【図１７】図１６に示す前フレームの裏側を示す部分裏面図である。
【発明を実施するための形態】
【００２０】
次に、本発明に係る貯蔵庫の扉開閉構造につき、実施例を挙げて説明する。なお、図１２〜図１７の従来技術で説明した部材と同じ部材については、同じ符号を付してある。また、実施例では製氷機の貯氷庫について説明したが、物品を収納して保管・貯蔵する筐体で、該物品を取り出すための開口部が存在し、この開口部を昇降する扉で開閉するものであれば、各種の保管庫、貯留庫その他貯蔵庫が含まれる。
【００２１】
図１〜図３は、実施例に係る扉開閉構造において、扉が下降した位置で開口部を完全に開放した状態を示している。また図４〜図６は、前記扉開閉構造において、扉が上昇した位置で開口部を完全に閉成している状態を示している。なお、図示の扉開閉構造は、図１３や図１５に示す貯氷庫１０の筐体１２における前フレーム４０として示してある。図３および図６は、筐体１２の前面に取り付けられる前フレーム４０を示し、この前フレーム４０の前面は、図２および図５に示すフロントパネル２８により覆われている。そして前フレーム４０は、左右の縦フレーム４２，４４と、両縦フレーム４２，４４に上下で横方向に接続する上フレーム４６および下フレーム４８と、上下のフレーム４６，４８の中間に位置する横フレーム５０(図７)とからなる。また上フレーム４６と横フレーム５０との間には、殊に図３に示すように、矩形状の開口部１４が画成されている。従って前記フロントパネル２８の上方にも、前記開口部１４に対応する開口部５２が開設されている。
【００２２】
図３および図６に示すように、前フレーム４０における左右の縦フレーム４２，４４の前面には、前記開口部１４を挟んで左右にスライドレール５４，５６が縦に配設されている。このスライドレール５４，５６は、前記開口部１４を昇降自在に閉成する扉１６を両側から摺動自在に案内するものであり、両スライドレール５４，５６の下方には、縦に整列してガイド５８，６０が配設されている。図４〜図６に符号１６で示す扉は、例えば透明なガラスや樹脂等を材質とする矩形状板体であって、前記開口部１４を閉成する際は、前記扉１６は前記スライドレール５４，５６により左右を挟まれて上方に位置している。また前記開口部１４を開放する際は、図１〜図３に示すように、前記扉１６はガイド５８，６０により左右を案内されて下方に位置している。なお、図８は扉１６の表面側を斜視状態で示すもので、上部に把手１８が設けられている。
【００２３】
前記扉１６は、操作者が前記把手１８に触れて上下何れかの方向へ軽く力を加えるだけで、前記開口部１４を完全開放したり、完全閉成したりするものである。その扉開閉構造を、次に説明する。本実施例では、図３および図６に明瞭に示されるように、ワイヤ巻取装置６４から引出したワイヤ６６を、前記前フレーム４０に枢支したプーリ６２を介して前記扉１６に接続することで、操作者の労力軽減を達成している。図７の縦断側面に示す如く、前フレーム４０の前面はフロントパネル２８により覆われ、前記開口部１４の下方でかつ前記フロントパネル２８の裏側には、前記扉１６が下降した際に該扉１６を完全に収容する扉収容部６８が画成されている。すなわち前記扉１６は、上昇位置にあるときは、図６および図７に示すように前記開口部１４を閉成している。また、扉１６が下降位置にあるときは、図１および図３に示すように前記扉収容部６８に収容されて、前記開口部１４を開放している。
【００２４】
図７に示すように、前記前フレーム４０における横フレーム５０の前側にプーリ取付板７０が沿設され、このプーリ取付板７０の左右端部付近に各プーリ６２が回転自在に枢支されている。また前フレーム４０における前記扉収容部６８の下方には、図３および図７に示すように、前記左右の各プーリ６２に対応してワイヤ巻取装置６４が配設されている。このワイヤ巻取装置６４に巻き取られているワイヤ６６は、上方へ引き出されて対応のプーリ６２に巻き掛けられて反転し、該ワイヤ６６の先端を前記扉１６に接続している。すなわち、図８に示すように、前記扉１６における表側下端部に沿って補強板７２が設けられ、この補強板７２の左右にＬ字形ブラケット７４が夫々固定されている。そして前記ワイヤ巻取装置６４から引出したワイヤ６６の一端は、図３に示すように、前記Ｌ字形ブラケット７４に接続されている。
【００２５】
前記プーリ６２およびワイヤ巻取装置６４の配置関係として、厚みの小さいプーリ６２は、図７に示すように前記扉収容部６８の内部前側に位置している。またワイヤ巻取装置６４は、内部にワイヤ巻取ドラムや巻取用ばね等を収容しているため比較的嵩張るものになるが、該ワイヤ巻取装置６４は図３および図７に示すように、前記扉収容部６８より下方の空きスペースに配置される。このため筐体１２に開設される開口部１４を広くすることができ、また前記プーリ６２およびワイヤ巻取装置６４を筐体１２の前側に内蔵しているにも拘わらず、前方への突出寸法を抑えて、全体としてコンパクトな構成にすることができる。
【００２６】
前記ワイヤ巻取装置６４は、その内部に前記ワイヤ６６の巻取部となるワイヤ巻取ドラムと、該ワイヤ巻取ドラムに常に巻取り方向への回転力を与える過巻きばね(何れも図示せず)とを備えている。このためワイヤ巻取装置６４から引出した前記ワイヤ６６には、常に巻取り方向への力が加わっている。すなわち、ワイヤ６６をワイヤ巻取装置６４から引出しても、その引出す力を弱めたり解除したりすれば、該ワイヤ６６は自動的に該ワイヤ巻取装置６４へ巻取られる。前記ワイヤ巻取装置６４には、ワイヤ６６の巻取り力を調節する機構(図示せず)が設けられている。従って、図３に示す前記扉１６の下降位置から、図６に示す扉上昇位置へ上昇させる際に、該扉１６は緩徐に上昇するために急激な上昇動作になることがない。また逆に、図６に示す扉１６が開口部１４を閉成した上昇位置から、図３に示す下降位置まで下降させて、前記開口部１４を開放する際も、前記ワイヤ巻取装置６４による巻取力がワイヤ６６に加わっているので、作業者は軽い力で扉開放動作を行わせることができる。すなわち前記ワイヤ巻取装置６４は、前記扉１６の自重に応じてワイヤ６６を巻取る駆動力を調節可能になっている。
なお、ワイヤ巻取装置６４に内蔵されてワイヤ６６に巻取力を与える構造としては、前述の過巻ばねに拘わらず、モータでワイヤ巻取ドラムを回転させるようにして、該モータの駆動力を扉１６の重さに応じて自動設定またはマニュアル設定ができるようにしてもよい。例えば、ワイヤ巻取装置６４のワイヤ巻取力は、操作者が開放中の扉１６から手を離すと、該扉１６が自動的に上昇して前記開口部１４を閉成するように設定される。
【００２７】
図１および図４に示すように、前フレーム４０の下方の前記扉収容部６８には、前記扉１６を下降させると所定の位置で停止させる扉停止片７６が設けられている。すなわち、図４に示す扉１６の上昇位置から、該扉１６が図１に示す位置まで下降すると、図８で説明した扉下端縁に設けた前記補強板７２が、前記扉停止片７６に衝き当って定位置での規制停止がなされる。この場合も、前述したようにワイヤ巻取装置６４のワイヤ巻取力の強さは前記扉１６の自重に応じて調整されているので、該扉１６は緩徐に下降し、従って補強板７２が前記扉停止片７６に勢い良く衝突することはない。
【００２８】
図８において、前記扉１６の左右下端に設けた前記Ｌ字形ブラケット７４の上面には、例えば弾性ゴムやスプリング等のように、弾性を有する位置規制片７８が設けられている。この位置規制片７８は、図４および図６に示すように、前記扉１６を上昇位置へ移動させて前記開口部１４を閉成した際に、前記プーリ６２が枢支されているプーリ取付板７０と下方から衝き当たり、衝撃を弾力的に吸収して位置規制するストッパとしての役割を果たしている。この場合も、前記ワイヤ巻取装置６４のワイヤ巻取力は扉１６の自重に応じて調節されているので、該扉１６を上昇させても緩徐に移動することは勿論である。
【００２９】
また図９に示す扉１６の裏面には、その下端縁にゴムや軟質ポリプロピレン等を材質とするワイパ８０が、横長の固定片８２および前記補強板７２により挟持固定されている。このワイパ８０は、前記扉１６を下降させる際に、前フレーム４０の前面に凝結した水滴を拭って、該水滴を図３に示す樋部材８４へ回収するためのものである。なお、前記ワイパ８０の左右両端縁は、図８，図９および図１０に示すように、扉１６の左右両端から若干延出させてある。そして図１０に示すように、前記ガイド６０に設けた鍵状の停止片８６に接触するようになっている。すなわち図９において、前記ワイパ８０の右端面に停止片８６が接触した状態で、前記扉１６が開口部１４を完全に開放するような位置関係に設定してある。そして停止片８６がワイパの右端面に接触している間の距離が、前記扉１６に制動を掛ける状態になっている。
【００３０】
図１１は、実施例の変更例を示す前フレーム４０の中央縦断側面であって、前記プーリ６２およびワイヤ巻取装置６４を、扉１６の昇降領域の後側に位置させたものである。このように構成することで、フロントパネル２８の前方への突出量を抑えて厚みを少なくすることができ、貯氷庫全体をコンパクトに構成することができる。
【符号の説明】
【００３１】
１０  貯氷庫(貯蔵庫)，１２  筐体，１４  開口部，１６  扉，４０  前フレーム，
６２  プーリ，６４  ワイヤ巻取装置，６６  ワイヤ，６８  扉収容部，
７４  Ｌ字形ブラケット，７６  扉停止片，７８  位置規制片
【図１】
2015014418.tif 000003
【図２】
2015014418.tif 000004
【図３】
2015014418.tif 000005
【図４】
2015014418.tif 000006
【図５】
2015014418.tif 000007
【図６】
2015014418.tif 000008
【図７】
2015014418.tif 000009
【図８】
2015014418.tif 000010
【図９】
2015014418.tif 000011
【図１０】
2015014418.tif 000012
【図１１】
2015014418.tif 000013
【図１２】
2015014418.tif 000014
【図１３】
2015014418.tif 000015
【図１４】
2015014418.tif 000016
【図１５】
2015014418.tif 000017
【図１６】
2015014418.tif 000018
【図１７】
2015014418.tif 000019